(57)【要約】【課題】略直交する２方向の面材に先端が挿入される棒状材の頭部を、簡単な構成によって隠すことが可能な固定具を提供する。【解決手段】略直交する２方向の側板１３と棚板１２との間を接合させるためにそれぞれの面材に先端が挿入されるピン材（７１，７２）又はネジ材（８１，８２）の頭部を定着させる固定具２である。  そして、第１の面材に接触させる短辺部３と、第２の面材に接触させる長辺部４と、短辺部３と長辺部４との側面間を繋ぐ一対の側板部５，５と、一対の側板部間の開口を塞ぐとともに、ヒンジ部６１を介して連結されて開閉自在となる蓋部６とを備えている。【選択図】図１
2016137118.tif 000002
【特許請求の範囲】
【請求項１】
略直交する２方向の面材間を接合させるためにそれぞれの面材に先端が挿入される棒状材の頭部を定着させる固定具であって、
第１の面材に接触させるとともに前記棒状材を挿入するための第１穴が設けられた第１座板部と、
第２の面材に接触させるとともに前記棒状材を挿入するための第２穴が設けられた第２座板部と、
前記第１座板部と前記第２座板部との側面間を繋ぐ一対の側板部と、
前記一対の側板部間の開口を塞ぐとともに、ヒンジ状に連結されて開閉自在となる蓋部とを備えたことを特徴とする固定具。
【請求項２】
前記棒状材は、ネジ材又は鍔部が設けられたピン材であって、
前記第１座板部及び第２座板部の前記面材に接触させる側には、前記第１穴及び第２穴に前記ピン材の頭部を収容した際に前記鍔部を収容させる凹部が設けられていることを特徴とする請求項１に記載の固定具。
【請求項３】
前記棒状材は、ネジ材又はピン材であって、
前記第１穴は、前記ネジ材及び前記ピン材が挿入可能な円形であり、
前記第２穴は、前記ネジ材及び前記ピン材が挿入可能であるとともに、前記ネジ材の位置修正が可能な長穴であることを特徴とする請求項１又は２に記載の固定具。
【請求項４】
合成樹脂によって一体に成形されたことを特徴とする請求項１乃至３のいずれか一項に記載の固定具。
【請求項５】
略直交する２方向の面材を接合させていくことによって組み立てられる家具であって、
内空側に露出する接合箇所のすべてに請求項１乃至４のいずれか一項に記載の固定具が使用されることを特徴とする家具。
【発明の詳細な説明】
【技術分野】
【０００１】
本発明は、側板と棚板などの略直交する２方向の面材間を接合させるために、それぞれの面材に先端が挿入されるネジ材やピン材などの棒状材の頭部を定着させる固定具、及びそれが使用された家具に関するものである。
【背景技術】
【０００２】
棚板を壁面に取り付けるために、壁面にネジ材で受け金具を固定し、その受け金具の上面に棚板を載せてネジ材などで固定する構成が知られている（特許文献１−３など参照）。
【０００３】
特許文献１には、板ガラス製の棚板を載せるためのＬ字形の棚受主体の基台をビスで壁面に固定した後に、棚受主体とは別部品であるカバーを被せることで、ビスの頭部の露出を無くすことができる構造が開示されている。
【０００４】
また、特許文献２には、側面視直角三角形状の支持具を木ねじで壁面に固定するとともに、支持具の下方からも木ねじをねじ込んで棚板を固定した後に、別部品であるカバー体を嵌め込むことで、木ねじの頭部を隠蔽させる構造が開示されている。
【０００５】
さらに、特許文献３では、半円柱状の支持手段の壁面への固定はビスで行われるが、棚板との固定がピン状の嵌合凸部によって行われる構造が開示されている。ここではビスの頭部は、支持手段ごと別部品のカバー手段によって覆われる構造となっている。
【０００６】
一方、特許文献４のＬ字形の側板の取付具は、壁側の固定がビスによって行われるとともに、側板側の固定は側辺から突出された嵌合突起によって行われる。そして、取付具のビス止めをする側には、ヒンジ部を介して蓋体が連結されており、ビスの頭部を隠すことができるようになっている。
【先行技術文献】
【特許文献】
【０００７】
【特許文献１】実開平１−８１９４５号公報
【特許文献２】特許第５５４１６１７号公報
【特許文献３】特許第３８８２８０７号公報
【特許文献４】特許第３５７２０５１号公報
【発明の概要】
【発明が解決しようとする課題】
【０００８】
しかしながら特許文献１−３に開示された取付構造では、固定のために２方向に挿し込まれたビス材の頭部を覆うカバー材が別部品となるため、部品数が増えるとともに、紛失のおそれがある。
【０００９】
一方、特許文献４では、Ｌ字形のビス止めをする側の片部にヒンジ部で連結された蓋体を設けた構成となっているが、これを応用して両方の片部に固定用のビスを打ち込む構造にした場合、蓋体を２つ設けることになって形状が複雑になる。
【００１０】
そこで、本発明は、略直交する２方向の面材に先端が挿入される棒状材の頭部を、簡単な構成によって隠すことが可能な固定具、及びそれが使用された家具を提供することを目的としている。
【課題を解決するための手段】
【００１１】
上記目的を達成するため、本発明に係る固定具は、略直交する２方向の面材間を接合させるためにそれぞれの面材に先端が挿入される棒状材の頭部を定着させる固定具であって、第１の面材に接触させるとともに前記棒状材を挿入するための第１穴が設けられた第１座板部と、第２の面材に接触させるとともに前記棒状材を挿入するための第２穴が設けられた第２座板部と、前記第１座板部と前記第２座板部との側面間を繋ぐ一対の側板部と、前記一対の側板部間の開口を塞ぐとともに、ヒンジ状に連結されて開閉自在となる蓋部とを備えたことを特徴とする。
【００１２】
ここで、前記棒状材は、ネジ材又は鍔部が設けられたピン材であって、前記第１座板部及び第２座板部の前記面材に接触させる側には、前記第１穴及び第２穴に前記ピン材の頭部を収容した際に前記鍔部を収容させる凹部が設けられている構成とすることができる。
【００１３】
また、前記棒状材は、ネジ材又はピン材であって、前記第１穴は、前記ネジ材及び前記ピン材が挿入可能な円形であり、前記第２穴は、前記ネジ材及び前記ピン材が挿入可能であるとともに、前記ネジ材の位置修正が可能な長穴である構成とすることができる。
【００１４】
さらに、上記したいずれかの固定具は、合成樹脂によって一体に成形することができる。
そして、本発明に係る家具は、略直交する２方向の面材を接合させていくことによって組み立てられる家具であって、内空側に露出する接合箇所のすべてに上記いずれかの固定具が使用される。
【発明の効果】
【００１５】
このように構成された本発明の固定具は、略直交する２方向の面材に接触させるとともに棒状材を挿入するための穴が設けられた第１座板部と第２座板部とを備えている。
【００１６】
この第１座板部と第２座板部の側面間は一対の側板部で繋がれ、一対の側板部間の開口は、ヒンジ状に連結されて開閉自在となる蓋部によって塞ぐことができる。
【００１７】
このため、第１座板部と第２座板部からそれぞれの方向に先端が挿入された棒状材の頭部を、一つの蓋部で隠すことができる。また、蓋部がヒンジ状に連結されているので、部品数を削減できるうえに紛失する心配がない。
【００１８】
さらに、固定に使用されるネジ材とピン材の２種類の棒状材のいずれであっても使用できるように固定具を共通化しておくことで、規格数を減らすことができるようになり、部品の梱包間違いなどを防ぐことができる。
【００１９】
このようなネジ材とピン材の固定具の共通化は、第１座板部及び第２座板部の面材に接触させる側にピン材の鍔部を収容させる凹部を設けておくことで、実現することができる。
【００２０】
また、ネジ材とピン材の両方が使用できる共通化された固定具にした場合に第２穴を長穴にしておくことで、第１穴で位置決めされた固定具に対して、長穴の範囲でネジ材の位置をずらすことで容易に修正ができるようになる。
【００２１】
さらに、合成樹脂によって一体に成形された固定具であれば、容易に製作できるうえに、棚板や側板などとの色合わせも簡単に行うことができる。この結果、デザイン性に優れた外観を創出することができる。
【００２２】
そして、内空側に露出する接合箇所のすべてに上記いずれかの固定具が使用された家具であれば、棚板と側板との接合だけでなく、天板と側板との接合や側板と床材との接合も同じ種類の固定具で行われることになって、少ない種類の部品で統一感のある外観にすることができる。
【図面の簡単な説明】
【００２３】
【図１】本発明の実施の形態の収納家具の構成を示すために正面側から見た説明図である。
【図２】図１のＡ−Ａ矢視方向で見た断面図である。
【図３】固定具の構成を説明する図であって、（ａ）は蓋部が開いた状態を示す斜視図、（ｂ）は蓋部が閉じた状態を示す斜視図である。
【図４】蓋部が開いた状態の固定具の構成を説明する図であって、（ａ）は短辺部の接触面側から見た側面図、（ｂ）は長辺部の接触面側から見た平面図、（ｃ）は正面図である。
【図５】棒状材の種類及び構成を説明する図であって、（ａ）はピン材の斜視図、（ｂ）はビスの斜視図である。
【図６】固定具にピン材を定着した状態を示す断面図である。
【図７】固定具にビスを定着した状態を示す図であって、（ａ）は断面図、（ｂ）は蓋部を取り除いた状態の説明図である。
【発明を実施するための形態】
【００２４】
以下、本発明の実施の形態について図面を参照しながら説明する。図１は、本実施の形態の家具としての収納家具１の全体構成を説明するために正面側から見た断面図であり、図２は図１のＡ−Ａ矢視方向で収納家具１を見た断面図である。
【００２５】
図１に例示した本実施の形態の収納家具１は、ウォークインクローゼットやウォークスルークローゼットやキャビネットなどの居室空間の一部を収納空間にしたものである。ここで、収納家具１の下面を形成する面材としての床材１５は、フローリング材などの居室と同じ床材である。また、収納家具１の外側に図示された面材としての壁材１６は、間仕切壁などの居室の壁材である。
【００２６】
このような収納家具１を組み立てるには、様々な箇所において略直交する２方向の面材間を接合させる必要がある。まず、床面１５ａに対しては、図１に示すように、側方の壁材１６に沿って立てられる面材としての側板１３の内側面１３ａが直交する。また、側板１３，１３間に立てられる面材としての仕切板１４の内側面１４ａ，１４ａも、床面１５ａに直交する。
さらに、図２に示すように、収納家具１の背面側となる奥行き方向の壁材１６の壁面１６ａも、床面１５ａに直交する。
【００２７】
また、側板１３及び仕切板１４の内側面１３ａ，１４ａ並びに壁材１６の壁面１６ａに対しては、面材としての棚板１２の下面１２ａ及び面材としての天板１１の下面１１ａが直交する。
【００２８】
これらの略直交する２方向の面材間を接合させるために、本実施の形態の固定具２が使用される。なお、図１に例示した収納家具１では、左側の棚板１２が固定式となり、右側の棚板１２が可動式となっている。
【００２９】
続いて、本実施の形態の固定具２について、図３，４を参照しながら説明する。図３は、固定具２の全体構成を状態を変えて説明する斜視図であり、図４は、固定具２の側面図、平面図及び正面図である。
【００３０】
固定具２は、第１の面材に接触させる第１座板部としての短辺部３と、第２の面材に接触させる第２座板部としての長辺部４と、短辺部３と長辺部４の側面間を繋ぐ一対の側板部５，５と、一対の側板部５，５間の開口５０を開閉自在に塞ぐ蓋部６とによって主に構成される。
【００３１】
ここで、短辺部３を接触させる第１の面材と長辺部４を接触させる第２の面材は、固定具２の設置箇所によって、上述した天板１１、棚板１２、側板１３、仕切板１４、床材１５又は壁材１６のいずれかが該当することになる。
【００３２】
短辺部３は、図３及び図４（ａ）に示すように、平面視略長方形の厚みのある板状部分である。固定具２の外側に露出する平滑な接触面３ａを、面材に接触させる。
【００３３】
また、短辺部３には、棒状材を挿入するための第１穴としての円形穴３１が設けられる。ここで、棒状材は、接合手段となる部材で、図１，２，５に示したようなピン材（７１，７２）又はネジ材（８１，８２，８３）が該当する。
【００３４】
円形穴３１は、挿入する棒状材の外径よりも僅かに内径が大きい円筒形の穴である。また、円形穴３１の接触面３ａ側には、それよりも直径の大きな凹部３１ａが形成される。この凹部３１ａの大きさは、後述するピン材７１の鍔部７１２の直径及び厚さに合わせて決められる。
【００３５】
短辺部３に対して略直交するように設けられる長辺部４は、図３及び図４（ｂ）に示すように、平面視略長方形の厚みのある板状部分である。固定具２の外側に露出する平滑な接触面４ａを、面材に接触させる。
【００３６】
また、長辺部４には、上述した棒状材を挿入するための第２穴としての長穴４１が設けられる。長穴４１は、棒状材が挿入可能であるとともに、ネジ材（８１，８２，８３）が挿入された際には、長辺部４の長手方向にネジ材の位置修正が可能となる一方向に長い穴である。
【００３７】
例えば長穴４１は、長辺の長さがネジ材の直径とほぼ同じとなる長方形の両側に、半円をそれぞれ繋げた長円筒形の穴にすることができる。また、長穴４１の内周面には、図４（ｂ）に示すようにリブ４１ｂ，・・・を間隔を置いて設け、後述する長穴用ピン材７２の頭部７２１を収容した際に、固定できるようにする。
【００３８】
さらに、長穴４１の接触面４ａ側には、長穴４１よりも一回り大きな凹部４１ａが形成される。この凹部４１ａの大きさは、後述する長穴用ピン材７２の鍔部７２２の平面形状及び厚さに合わせて決められる。
【００３９】
また、長辺部４の端部には、図３（ｂ）に示すように、蓋部６を閉じたときに隙間が確保できるように、切込部４２が設けられる。この切込部４２と蓋部６との間の隙間に、ドライバーの先端や指先を掛けることによって、蓋部６を開くことができる。
【００４０】
そして、側面視Ｌ字状に形成される短辺部３と長辺部４との側面間を、図３（ａ）及び図４（ｃ）に示すように、台形状の側板部５によって繋ぐ。側板部５には、上縁及び前方縁に沿って、蓋部６を嵌めるための内壁部５１が設けられる。
【００４１】
蓋部６は、一対の側板部５，５間の開口５０を塞ぐことができる形状に形成される。蓋部６は、ヒンジ部６１によって短辺部３の縁部に連結されている。側板部５，５間の開口５０の上方を塞ぐ蓋部６の両側には、垂下部６２，６２が設けられる。
【００４２】
蓋部６を閉じたときには、垂下部６２，６２が内壁部５１，５１に沿った状態となる。また、垂下部６２と側板部５との外側面は面一となる。さらに、蓋部６の前面には、前垂部６３が設けられる。蓋部６を閉じると、蓋部６の上面となる傾斜面と前垂部６３とに覆われることになって、円形穴３１及び長穴４１を外部から視認することができなくなる。
【００４３】
蓋部６には、簡単に開かないようにするために爪部６４を設けることができる。図４（ｃ）に示すように、垂下部６２の内面側に設けられた爪部６４と、内壁部５１の外面側に設けられた爪溝部５２とを噛み合わさせることによって、蓋部６が自然に開くのを防ぐことができる。なお、爪部６４と爪溝部５２の位置関係は、逆になっていてもよい。
【００４４】
このような固定具２は、短辺部３、長辺部４、側板部５，５及び蓋部６を合成樹脂によって一体に成形することができる。合成樹脂材料には、ヒンジ部６１の繰り返しの作動に対して耐久性を持たせるとともに、衝撃力などに対して破損しにくくするために、適度に粘りのある硬さの樹脂が使用される。
また、合成樹脂材料には、棚板１２や側板１３などと同系色の着色を施すことができる。
【００４５】
固定具２に使用できる棒状材には、図５（ａ）に示したようなピン材７１又は長穴用ピン材７２と、図５（ｂ）に示したようなネジ材としてのビス８１，８２及び図２に示したような長ビス８３がある。
【００４６】
ピン材７１は、短辺部３の円形穴３１に挿入される棒状材で、円形穴３１の内径より僅かに小さい外径の円柱状の頭部７１１と、環状の鍔部７１２と、面材の内部（下穴１２１，１３１，１４１）に挿入される軸部７１３とが鋼材などによって一体に成形される。
【００４７】
ピン材７１の鍔部７１２は、頭部７１１及び軸部７１３よりも直径の大きな円環状に形成される。ピン材７１は、図６に示すように、短辺部３の接触面３ａ側から挿入され、頭部７１１が円形穴３１に収容されるとともに、鍔部７１２が凹部３１ａに収容される。この鍔部７１２が凹部３１ａに当たることによって、ピン材７１の固定具２の内空側への過度の押し込みが防止される。
【００４８】
一方、長穴用ピン材７２は、長辺部４の長穴４１に挿入される棒状材で、図５（ａ）に示したように、長穴４１の内空断面形状より僅かに小さい断面の長円柱状の頭部７２１と、長円状の鍔部７２２と、面材の内部（下穴１２１，１３１，１４１）に挿入される軸部７２３とが鋼材などによって一体に成形される。
【００４９】
長穴用ピン材７２は、図６に示すように、長辺部４の接触面４ａ側から挿入され、頭部７２１が長穴４１に収容されるとともに、鍔部７２２が凹部４１ａに収容される。この鍔部７２２が凹部４１ａに当たることによって、長穴用ピン材７２の固定具２の内空側への落ち込みや過度の押し込みが防止される。
【００５０】
ビス８１，８２は、同じ部材であるが、短辺部３の円形穴３１に挿入される棒状材をビス８１とし、長辺部４の長穴４１に挿入される棒状材をビス８２とする。また、長ビス８３は、ビス８１，８２よりも長いネジ本体が設けられたネジ材で、円形穴３１にも長穴４１にも挿入することができる。
【００５１】
ビス８１，８２及び長ビス８３は、円形穴３１の内径より僅かに小さい外径の円柱状のネジ本体と、ネジ本体よりも直径の大きな頭部８１１，８２１，８３１とが一体に成形される。
【００５２】
ビス８１，８２及び長ビス８３は、図７（ａ）に示すように、固定具２の内空側（側板部５側）から挿入され、ネジ本体が面材の内部にねじ込まれる。そして、頭部８１１，８２１，８３１は、短辺部３と長辺部４の内空側の面に当たって定着される。
【００５３】
ここで、長穴４１に対していずれの位置にビス８２を挿入しても、図７（ｂ）に示すように、頭部８２１が長穴４１の短径方向の両側に引っ掛かるので、定着させることができる。
【００５４】
次に、本実施の形態の固定具２を使用した収納家具１の組み立て方法について説明する。
まず、図１に示すように、両側の壁材１６，１６に沿って側板１３，１３をそれぞれ立て、図示しない接合手段によって接合させる。そして、側板１３，１３の上端面間には、天板１１を架け渡す。
【００５５】
この天板１１の下面１１ａとそれに直交する内側面１３ａ，１３ａとの間の接合を、固定具２とビス８１，８２とを使って行う。すなわち、固定具２の接触面３ａを内側面１３ａに接触させて、蓋部６を開いた固定具２の側方からビス８１を側板１３に向けてねじ込む。
【００５６】
続いて、接触面４ａが下面１１ａに接触された同じ固定具２の長穴４１に対して、下方からビス８２を天板１１に向けてねじ込む。このビス８２は、下穴のない天板１１に対して直接ねじ込むことになる。なお、ビス８２により一旦固定した後でも、全体的に組み上げた際などにゆがみなどを見つけて修正したい場合がある。そのようなときには、長穴４１にねじ込まれたビス８２を緩めて、長穴４１の範囲内でビス８２の相対的な位置を修正して再度締め直すことで、ゆがみを取り除くことが容易にできる。
【００５７】
このようにしてビス８１，８２の頭部８１１，８２１を短辺部３と長辺部４に定着させた後に、蓋部６を閉じる。そして、側板１３，１３間の例えば中央に仕切板１４を立て、内側面１４ａとそれに直交する床面１５ａとの間の接合を、固定具２とビス８１，８２とを使って行う。
【００５８】
ここでも、まず固定具２の接触面３ａを内側面１４ａに接触させて、蓋部６を開いた固定具２の側方からビス８１を仕切板１４に向けてねじ込む。続いて、接触面４ａが床面１５ａに接触された同じ固定具２の長穴４１に対して、上方からビス８２を床材１５に向けてねじ込む。
【００５９】
この際も、ビス８２を下穴のない床材１５に対して直接ねじ込むことになるが、位置修正が可能な長穴４１に対してねじ込むことになるので、内側面１４ａと床面１５ａとが直角となるように接合されなかったときなどでも、ビス８２を緩めるだけで容易に修正することができる。
【００６０】
また、床面１５ａと棚板１２の下面１２ａとの中間辺りの仕切板１４に対しても、内側面１４ａと奥行き側の壁面１６ａとの間の接合を固定具２を使って行う。この際、壁材１６に対しては長ビス８３がねじ込まれる。
【００６１】
続いて棚板１２，１２の取り付けに移る。図１の収納家具１の左側の棚板１２は、固定式であるため、棚板１２の下面１２ａとそれに直交する内側面１３ａ，１４ａとの間の接合を、固定具２とビス８１，８２を使って行う。
【００６２】
一方、図１の収納家具１の右側の棚板１２は、可動式であるため、固定具２とピン材７１と長穴用ピン材７２とを使った接合となる。ここで、固定具２は、ビス８１，８２のときと同じ種類のものが使用される。
【００６３】
ピン材７１及び長穴用ピン材７２を使用する場合は、図６に示すように、短辺部３の接触面３ａ側からピン材７１の頭部７１１を円形穴３１に挿し込む。ピン材７１は、鍔部７１２が凹部３１ａに当たることで固定される。
【００６４】
続いて、図１，２に示したように、仕切板１４や側板１３に予め穿孔された下穴１４１，１３１に対して、固定具２から側方に突出させたピン材７１の軸部７１３を押し込む。この結果、固定具２は仕切板１４や側板１３から側方に張り出した状態になる。
【００６５】
そこで、図６に示すように、上面となる長辺部４の接触面４ａ側から長穴用ピン材７２の頭部７２１を長穴４１に挿し込む。この頭部７２１は、長穴４１の内周面に設けられたリブ４１ｂ，・・・によって拘束される。また、長穴用ピン材７２は、鍔部７２２が凹部４１ａに当たることで落下が防止される。
【００６６】
このようにして棚板１２の両側の仕切板１４と側板１３とに複数の固定具２，・・・を固定した後に、上方から棚板１２を降ろす。棚板１２の下面１２ａにも下穴１２１，・・・が予め穿孔されており、長穴用ピン材７２の軸部７２３が下穴１２１に押し込まれる。
【００６７】
なお、固定式の棚板１２を取り付ける際に、ビス８１を下穴１３１，１４１にねじ込むようにすれば、容易にねじ込めるだけでなく、図１に示すように左右の棚板１２，１２の位置合わせを容易に行うことができる。
【００６８】
次に、本実施の形態の固定具２及びそれを使用して組み立てられた収納家具１の作用について説明する。
このように構成された本実施の形態の固定具２は、略直交する２方向の面材（１１−１６）に接触させるとともに棒状材（７１，７２，８１−８３）を挿入するための穴（３１，４１）が設けられた短辺部３と長辺部４とを備えている。
【００６９】
この短辺部３と長辺部４の側面間は一対の側板部５，５で繋がれ、一対の側板部５，５間の開口５０は、ヒンジ部６１で連結された開閉自在となる蓋部６によって塞ぐことができる。
【００７０】
このため、短辺部３と長辺部４とからそれぞれ略直交する２方向に向けて先端が挿入された２本の棒状材の２つの頭部７１１，７２１（又は８１１，８２１）を、一つの蓋部６を閉じるだけで隠すことができる。
【００７１】
また、蓋部６は、ヒンジ部６１によって短辺部３と連結されているので、蓋部６が別部品にならずに部品数を削減できるうえに、蓋部６だけが紛失してしまうという心配がない。
【００７２】
さらに、固定に使用されるネジ材（８１−８３）とピン材（７１，７２）の２種類の棒状材のいずれであっても使用できるように固定具２を共通化しておくことで、規格数を減らすことができる。
【００７３】
また、ネジ材（８１−８３）とピン材（７１，７２）とで固定具の規格が異なる場合は、ネジ材（８１−８３）で接合する箇所とピン材（７１，７２）で接合する箇所とのそれぞれの数に合わせて異なる固定具を梱包する必要があり、梱包間違いが起きる可能性があった。
【００７４】
これに対して、固定具２が共通化されていれば、接合箇所の数だけ固定具２，・・・を梱包しておけばよく、梱包間違いを減らすことができる。また、ネジ材（８１−８３）で固定させるか、ピン材（７１，７２）によって移動可能とするかを、使用者がその場で自由に選択することができる。
【００７５】
このようなネジ材（８１−８３）とピン材（７１，７２）の固定具２の共通化は、単純にネジ材（８１−８３）のネジ本体とピン材（７１，７２）の軸部７１３，７２３の外径を合わせておくだけで実現できるものではない。
【００７６】
例えば、短辺部３及び長辺部４の面材に接触させる接触面３ａ，４ａ側にピン材（７１，７２）の鍔部７１２，７２２を収容させる凹部３１ａ，４１ａを設けておくことで、ネジ材（８１−８３）だけでなくピン材（７１，７２）も使用することができるようになる。
【００７７】
これに対して、ピン材（７１，７２）は、下穴１２１，１３１，１４１が穿孔された決められた位置にしか挿入できないので、長辺部４を長穴４１にする必要がないが、ネジ材（８１−８３）であれば下穴がない箇所にもねじ込まれるので、長穴４１によって位置修正ができる意味が出てくる。
【００７８】
要するに、長辺部４を長穴４１にしておくことで、短辺部３の円形穴３１で位置決めされた固定具２に対してビス８２を打ち込む位置がずれたとしても、ビス８２を一度緩めて長穴４１の範囲内でビス８２の相対的な位置をずらすことで、ビス８２を別の位置に打ち込み直さなくても容易に修正することができる。
【００７９】
また、合成樹脂によって一体に成形された固定具２であれば、容易に製作できるうえに、棚板１２や側板１３などとの色合わせも簡単に行うことができる。この結果、固定具２を目立たせないなど、デザイン性に優れた外観を創出することができる。
【００８０】
そして、棚板１２と側板１３との接合箇所だけでなく、床材１５と仕切板１４との接合箇所や天板１１と側板１３との接合箇所などの収納家具１の内空側に露出する接合箇所のすべてに、同じ種類の固定具２，・・・を使用することができる。
このように視認できる位置の接合が同じ種類の固定具２，・・・で行われていれば、少ない種類の部品で統一感のある外観にすることができる。
【００８１】
以上、図面を参照して、本発明の実施の形態を詳述してきたが、具体的な構成は、この実施の形態に限らず、本発明の要旨を逸脱しない程度の設計的変更は、本発明に含まれる。
【００８２】
例えば、前記実施の形態では、家具として居室に組み付けられる造り付けの収納家具１を例に説明したが、これに限定されるものではなく、容易に移動できる置き家具や壁面に固定される棚板のみで構成される家具などであってもよい。
【００８３】
また、前記実施の形態では、第２座板部を長辺部４として長穴４１を設ける場合について説明したが、これに限定されるものではなく、第２座板部に設ける第２穴も短辺部３の円形穴３１と同じ形状にすることができる。
【符号の説明】
【００８４】
１              収納家具（家具）
１１            天板（面材）
１２            棚板（面材）
１３            側板（面材）
１４            仕切板（面材）
１５            床材（面材）
１６            壁材（面材）
２              固定具
３              短辺部（第１座板部）
３ａ            接触面
３１            円形穴（第１穴）
３１ａ          凹部
４              長辺部（第２座板部）
４ａ            接触面
４１            長穴（第２穴）
４１ａ          凹部
５              側板部
５０            開口
６              蓋部
６１            ヒンジ部（ヒンジ状）
７１            ピン材（棒状材）
７２            長穴用ピン材（棒状材）
７１１，７２１  頭部
７１２，７２２  鍔部
８１，８２      ビス（ネジ材、棒状材）
８３            長ビス（ネジ材、棒状材）
８１１，８２１，８３１  頭部
【図１】
2016137118.tif 000003
【図２】
2016137118.tif 000004
【図３】
2016137118.tif 000005
【図４】
2016137118.tif 000006
【図５】
2016137118.tif 000007
【図６】
2016137118.tif 000008
【図７】
2016137118.tif 000009